(57)【要約】上りリンク制御情報送信方法、該方法を実施するネットワークノード及びＵＥが開示される。本発明の一実施形態によれば、ＵＥのためのキャリアアグリゲーションに使用可能な上りリンクコンポーネントキャリアのうちの少なくとも１つを含むセットを定義することにより上りリンク制御情報がＵＥからネットワークノードに送信される。セットに含まれる少なくとも１つの上りリンクコンポーネントキャリアのうちの各々に優先度指示が割り当てられる。セットが上りリンク共有チャネルを含む少なくとも１つの上りリンクコンポーネントキャリアを含む場合、上りリンク共有チャネル内での上りリンク制御情報の送信のために上りリンク共有チャネルを含む少なくとも１つの上りリンクコンポーネントキャリアのうちの１つが選択される。上りリンクコンポーネントキャリアを選択する場合、少なくとも１つの割り当てられた優先度指示のうちの少なくとも１つに基づいて選択する。
2013533675.tif 000002
【特許請求の範囲】
【請求項１】
キャリアアグリゲーションを利用する無線通信システムにおける上りリンク制御情報送信の方法であって、複数の上りリンクコンポーネントキャリアが、前記システム内のユーザ装置（ＵＥ）とネットワークノードとの間の通信のためにアグリゲートされることが可能であり、前記方法は、
前記複数の上りリンクコンポーネントキャリアのうちの少なくとも１つを含むセットを定義するステップと、
前記セットの前記少なくとも１つの上りリンクコンポーネントキャリア各々に、優先度指示を割り当てるステップと、
前記セットが、上りリンク共有チャネルを含む少なくとも１つの上りリンクコンポーネントキャリアを含む場合、前記少なくとも１つの割り当てられた優先度指示のうちの少なくとも１つに基づいて、上りリンク共有チャネルを含む前記少なくとも１つの上りリンクコンポーネントキャリアのうちの１つを、前記上りリンク共有チャネル内での上りリンク制御情報の送信のために、選択するステップと、
を含むことを特徴とする、方法。
【請求項２】
前記セットは、少なくとも２つの上りリンクコンポーネントキャリアを含む、
請求項１に記載の方法。
【請求項３】
前記セットは、
前記ＵＥのためのキャリアアグリゲーションのために設定された全ての上りリンクコンポーネントキャリア、
前記ＵＥのためのキャリアアグリゲーションのためにアクティベートされた全ての上りリンクコンポーネントキャリア、
上りリンク共有チャネルを前記ＵＥに送信することが可能な全ての上りリンクコンポーネントキャリア、及び、
上りリンク共有チャネルを前記ＵＥに送信する全ての上りリンクコンポーネントキャリア、
からなる群の中の任意の１つを含む、
請求項２に記載の方法。
【請求項４】
前記セットは、上りリンクプライマリコンポーネントキャリアを含む、
請求項２に記載の方法。
【請求項５】
前記セットの前記少なくとも１つの上りリンクコンポーネントキャリアに割り当てられた少なくとも１つの優先度指示はそれぞれ、ネットワークノードから前記ＵＥにシグナリングされる、
請求項２に記載の方法。
【請求項６】
前記ネットワークノードは、無線リソース制御（ＲＲＣ）シグナリングを利用することによって、前記少なくとも１つの優先度指示を前記ＵＥにシグナリングする、
請求項５に記載の方法。
【請求項７】
前記ＲＲＣシグナリングは、コンポーネントキャリア設定シグナリングを含む、
請求項６に記載の方法。
【請求項８】
前記ネットワークノードは、媒体アクセス制御（ＭＡＣ）シグナリングを利用することによって、前記少なくとも１つの優先度指示を前記ＵＥにシグナリングする、
請求項５に記載の方法。
【請求項９】
前記ＭＡＣシグナリングは、コンポーネントキャリアアクティベーション又はディアクティベーションシグナリングを含む、
請求項８に記載の方法。
【請求項１０】
前記ネットワークノードは、下りリンク制御チャネルシグナリングを利用することによって、前記少なくとも１つの優先度指示を前記ＵＥにシグナリングする、
請求項５に記載の方法。
【請求項１１】
前記下りリンク制御チャネルシグナリングは、少なくとも１つの上りリンクグラントを含み、各上りリンクグラントは、１つの上りリンクコンポーネントキャリア内の上りリンク共有チャネルと関連付けられる、
請求項１０に記載の方法。
【請求項１２】
前記少なくとも１つの優先度指示は、
上りリンクグラントと関連付けられた各上りリンクコンポーネントキャリアについての優先度指示、及び、
最も高い優先度を有する上りリンクコンポーネントキャリアに対応する１つの特定のキャリアインデックス、
からなる群の中の任意の１つである、
請求項１１に記載の方法。
【請求項１３】
前記下りリンク制御チャネルシグナリングは、
前記下りリンク制御チャネルシグナリングに追加される少なくとも１つの追加情報ビット、
前記少なくとも１つの上りリンクグラントに関連する情報を運ぶために使用されない少なくとも１つの予備のコードポイント、
少なくとも１つの予備の電力制御ビット、及び、
前記ＵＥが受信すべき上りリンクグラントの数を示すために使用される少なくとも１つのビットの組み合わせ、
からなる群の中の任意の１つを含む、
請求項１１に記載の方法。
【請求項１４】
前記セットの１つの特定の上りリンクコンポーネントキャリアに最も高い優先度が割り当てられており、前記特定の上りリンクコンポーネントキャリアについての前記優先度指示は、前記ＵＥにシグナリングされることから除外される、
請求項２に記載の方法。
【請求項１５】
前記特定の上りリンクコンポーネントキャリアは、上りリンクプライマリコンポーネントキャリアである、
請求項１４に記載の方法。
【請求項１６】
前記セットの前記少なくとも１つの上りリンクコンポーネントキャリアに割り当てられる少なくとも１つの優先度指示のうちの少なくとも１つはそれぞれ、所定の規則に従って動的に決定される、
請求項２に記載の方法。
【請求項１７】
前記割り当ては、
特定の上りリンクコンポーネントキャリアが上りリンク共有チャネルを含む上りリンクプライマリコンポーネントキャリアである場合、最も高い優先度指示が前記特定の上りリンクコンポーネントキャリアに割り当てられるステップ、及び、
それ以外の場合、特定の上りリンクコンポーネントキャリアが代わりに非周期的なチャネル状態情報（ＣＳＩ）報告を含む場合、最も高い優先度指示が前記特定の上りリンクコンポーネントキャリアに割り当てられるステップ、
のうちの少なくとも１つを含む、
請求項１６に記載の方法。
【請求項１８】
前記割り当ては、
特定の上りリンクコンポーネントキャリアが非周期的なチャネル状態情報（ＣＳＩ）報告を含む場合、最も高い優先度指示が前記特定の上りリンクコンポーネントキャリアに割り当てられるステップ、及び、
それ以外の場合、特定の上りリンクコンポーネントキャリアが、代わりに、上りリンク共有チャネルを含む上りリンクプライマリコンポーネントキャリアである場合、最も高い優先度指示が前記特定の上りリンクコンポーネントキャリアに割り当てられるステップ、
のうちの少なくとも１つを含む、
請求項１６に記載の方法。
【請求項１９】
前記所定の規則に従って、最も高い優先度指示が上りリンク制御チャネルを含む上りリンクコンポーネントキャリアに割り当てられる、
請求項１６に記載の方法。
【請求項２０】
１つの上りリンクコンポーネントキャリアの選択は、前記セットの前記少なくとも１つの上りリンクコンポーネントキャリアに割り当てられた少なくとも１つの優先度のうちの全てに基づく、
請求項２に記載の方法。
【請求項２１】
前記セットの前記少なくとも１つの上りリンクコンポーネントキャリアに割り当てられる少なくとも１つの優先度指示はそれぞれ、
キャリア周波数、
キャリア帯域幅、
無線リンク品質、
短期の干渉状況、
長期の干渉状況、
システム負荷、
変調及び符号化方式、
トランスポートブロックサイズ、
プリコーディング行列インデックス、及び、
送信ランクインジケータ、
からなる群の中の少なくとも１つのシステムパラメータに基づいて決定される、
請求項２に記載の方法。
【請求項２２】
前記セットは、単一の上りリンクコンポーネントキャリアを含む、
請求項２に記載の方法。
【請求項２３】
前記単一の上りリンクコンポーネントキャリアが上りリンク共有チャネルを含む場合、前記単一の上りリンクコンポーネントキャリアに最も高い優先度指示が割り当てられる、
請求項２２に記載の方法。
【請求項２４】
前記単一の上りリンクコンポーネントキャリアは、上りリンク制御情報の前記送信のために上りリンク共有チャネルを提供するために、前記ネットワークノードによってスケジュールされている、
請求項２３に記載の方法。
【請求項２５】
前記単一の上りリンクコンポーネントキャリアが上りリンクプライマリ上りリンクコンポーネントキャリアである場合、前記単一の上りリンクコンポーネントキャリアに割り当てられる前記優先度指示は、所定の規則に従って決定される、
請求項２２に記載の方法。
【請求項２６】
前記単一の上りリンクコンポーネントキャリアに割り当てられる前記優先度指示は、前記ネットワークノードから前記ＵＥにシグナリングされる、
請求項２２に記載の方法。
【請求項２７】
前記上りリンク共有チャネルは、ロングタームエボリューションアドバンスト（ＬＴＥ−Ａｄｖａｎｃｅｄ）システムにおける物理上りリンク共有チャネル（ＰＵＳＣＨ）である、
請求項２に記載の方法。
【請求項２８】
前記上りリンク制御情報は、ロングタームエボリューションアドバンスト（ＬＴＥ  Ａｄｖａｎｃｅｄ）システムにおける上りリンク制御情報（ＵＣＩ）であり、
前記ＵＣＩは、
少なくとも１つのアクノリッジメント（Ａｃｋ）、
少なくとも１つのネガティブアクノリッジメント（Ｎａｃｋ）、
少なくとも１つの周期的なチャネル品質情報（ＣＱＩ）報告、
少なくとも１つの周期的なチャネルランクインジケータ（ＲＩ）報告、
少なくとも１つの周期的なプリコーディング行列インジケータ（ＰＭＩ）報告、
少なくとも１つの非周期的なチャネル品質情報（ＣＱＩ）報告、
少なくとも１つの非周期的なチャネルランクインジケータ（ＲＩ）報告、
少なくとも１つの非周期的なプリコーディング行列インジケータ（ＰＭＩ）報告、及び、
少なくとも１つのスケジューリング要求（ＳＲ）、
のうちの任意の１つ、又は、これらの任意の組み合わせを含む、
請求項２に記載の方法。
【請求項２９】
コンピュータ内で実行されると請求項１〜２８のいずれか一項に記載の方法を前記コンピュータに実行させるコード化手段を特徴とする
コンピュータプログラム。
【請求項３０】
コンピュータ読取可能媒体と請求項２９に記載のコンピュータプログラムとを含み、前記コンピュータプログラムは前記コンピュータ読取可能媒体に含まれる
コンピュータプログラム製品。
【請求項３１】
キャリアアグリゲーションを利用する無線通信システムにおいて、上りリンク制御情報の送信を受信するように配置されたネットワークノードであって、複数の上りリンクコンポーネントキャリアが、前記システム内のユーザ装置（ＵＥ）と前記ネットワークノードとの間の通信のためにアグリゲートされることが可能であり、前記ネットワークノードは、
前記複数の上りリンクコンポーネントキャリアのうちの少なくとも１つを含むセットを定義するように配置されたセット定義手段と、
前記セットの前記少なくとも１つの上りリンクコンポーネントキャリア各々に、優先度指示を割り当てるように配置された優先度割り当て手段と、
前記セットが、上りリンク共有チャネルを含む少なくとも１つの上りリンクコンポーネントキャリアを含む場合、前記少なくとも１つの優先度指示のうちの少なくとも１つに基づいて、上りリンク共有チャネルを含む前記少なくとも１つの上りリンクコンポーネントキャリアのうちの１つを、前記上りリンク共有チャネル内の上りリンク制御情報の受信のために、選択するように配置された選択手段と、
少なくとも前記１つの選択された上りリンク共有チャネルを受信するように配置された受信手段と、
を特徴とするネットワークノード。
【請求項３２】
前記ネットワークノードは、前記少なくとも１つの優先度指示を前記ＵＥにシグナリングするように配置されたシグナリング手段を含む、
請求項３１に記載のネットワークノード。
【請求項３３】
前記受信手段は、前記ＵＥが、前記送信のために、前記上りリンク共有チャネルを正しく選択したかどうかを検出するように配置される、
請求項３１に記載のネットワークノード。
【請求項３４】
キャリアアグリゲーションを利用する無線通信システムにおいて、上りリンク制御情報を送信するように配置されたユーザ装置（ＵＥ）であって、複数の上りリンクコンポーネントキャリアが、前記システム内の前記ＵＥとネットワークノードとの間の通信のためにアグリゲートされることが可能であり、前記ＵＥは、
前記複数の上りリンクコンポーネントキャリアのうちの少なくとも１つを含むセットが、上りリンク共有チャネルを含む少なくとも１つの上りリンクコンポーネントキャリアを含む場合、前記セットの少なくとも１つの上りリンクコンポーネントキャリアに割り当てられた少なくとも１つの優先度指示のうちの少なくとも１つに基づいて、前記セットから、上りリンク共有チャネルを含む前記少なくとも１つの上りリンクコンポーネントキャリアのうちの１つを、前記上りリンク共有チャネル内での上りリンク制御情報の送信のために、選択するように配置された選択手段と、
前記選択された１つの上りリンクコンポーネントキャリアの前記上りリンク共有チャネル内で前記上りリンク制御情報を送信するように配置された送信手段と、
を特徴とするＵＥ。
【請求項３５】
前記ＵＥは、前記ネットワークノードからシグナリングされた優先度指示情報に基づいて、前記少なくとも１つの優先度指示を割り当てるように配置された優先度割り当て手段を含む、
請求項３４に記載のＵＥ。
【請求項３６】
前記ＵＥは、所定の規則に基づいて、前記少なくとも１つの優先度指示を割り当てるように配置された優先度割り当て手段を含む、
請求項３４に記載のＵＥ。
【請求項３７】
前記ＵＥは、下りリンク制御チャネル内のＵＬグラントを受信するように配置された受信手段を備える、
請求項３４に記載のＵＥ。
【発明の詳細な説明】
【技術分野】
【０００１】
本発明は、請求項１のプリアンブルで規定された方法、すなわち、キャリアアグリゲーションを利用する無線通信システムにおける上りリンク制御情報送信の方法（ここで、複数の上りリンクコンポーネントキャリアが、前記システム内のユーザ装置（ＵＥ）とネットワークノードとの間の通信のために、アグリゲートされることが可能である）に関する。
【０００２】
本発明は、更に、請求項３１のプリアンブルで規定されたネットワークノード、すなわち、キャリアアグリゲーションを利用する無線通信システムにおける上りリンク制御情報送信を受信するように配置されたネットワークノード（ここで、複数の上りリンクコンポーネントキャリアが、前記システム内のＵＥと前記ネットワークノードとの間の通信のために、アグリゲートされることが可能である）に関する。
【０００３】
本発明は、更に、請求項３４のプリアンブルで規定されたネットワークノード、すなわち、キャリアアグリゲーションを利用する無線通信システムにおける上りリンク制御情報を送信するように配置されたＵＥ（ここで、複数の上りリンクコンポーネントキャリアが、前記システム内の前記ＵＥとネットワークノードとの間の通信のために、アグリゲートされることが可能である）に関する。
【０００４】
本発明は、更に、コンピュータプログラム及びコンピュータプログラム製品に関する。
【背景技術】
【０００５】
第３世代パートナーシッププロジェクト（３ＧＰＰ）発展型ＵＭＴＳ地上無線アクセス（Ｅ−ＵＴＲＡ）ロングタームエボリューションリリース８（ＬＴＥ  Ｒｅｌ−８）システムなどの現在のセルラーシステムは、スペクトル効率を最大にするために、既存の無線環境へのリンクアダプテーションに依存する。そのようなリンクアダプテーションは、例えば、変調及び符号化方式（ＭＣＳ）、並びに、様々な多入力多出力（ＭＩＭＯ）送信モードに関連する場合がある。関連する尺度（それに基づいてアダプテーションが実行される）は、一般に、チャネル状態情報（ＣＳＩ）と呼ばれる場合があり、通常、チャネル品質インジケータ（ＣＱＩ）、送信ランクインジケータ（ＲＩ）、及びプリコーダ行列インデックス（ＰＭＩ）を含む場合がある。リンクアダプテーションを有効にするために、ユーザ装置（ＵＥ）は、これらの尺度を、上りリンク（ＵＬ）内で、ｅＮｏｄｅＢにフィードバックする。上りリンク制御情報（ＵＣＩ）は、下りリンク（ＤＬ）送信に応えるアクノリッジメント／ネガティブアクノリッジメント（ＡＣＫ／ＮＡＣＫ）も含んでもよい。従って、ＵＣＩは、Ａｃｋ、Ｎａｃｋ、周期的なＣＱＩ報告、非周期的なＣＱＩ報告、周期的なＲＩ報告、周期的なＰＭＩ報告、非周期的なＣＱＩ報告、非周期的なＲＩ報告、非周期的なＰＭＩ報告、及びスケジューリング要求（ＳＲ）のうちの任意の１つ又はこれらの任意の組み合わせを含んでもよい。
【０００６】
ＬＴＥ  Ｒｅｌ−８では、ＵＣＩは、物理上りリンク制御チャネル（ＰＵＣＣＨ）又は物理上りリンク共有チャネル（ＰＵＳＣＨ）上のいずれかで送信される。ＰＵＣＣＨとＰＵＳＣＨとの同時送信は、ＬＴＥ  Ｒｅｌ−８システム内では決して発生しない。周期的なＣＳＩ報告及び非周期的なＣＳＩ報告という２種類のＣＳＩ報告方法が、システム内でサポートされる。周期的なＣＳＩ報告は、ＰＵＣＣＨ上で送信され、関連するパラメータ（例えば、周期性など）及び送信リソースは、上位レイヤによって設定される。非周期的なＣＳＩ報告は、ＰＵＳＣＨ内で送信され、ＰＵＳＣＨをスケジュールする物理下りリンク制御チャネル（ＰＤＣＣＨ）内のＵＬグラント内のＣＱＩ要求ビットによってトリガされる。
【０００７】
非周期的なＣＳＩは、ＰＵＳＣＨ内の通常データと多重化されてもよい。ＬＴＥ  Ｒｅｌ−８では、ＰＵＣＣＨ内のＵＣＩ送信がＰＵＳＣＨ送信と同時に発生する場合、ＰＵＣＣＨ内のＵＣＩは代わりにＰＵＳＣＨ内で送信され、ＰＵＣＣＨは送信されない。非周期的なＣＱＩ報告が周期的なＣＱＩ報告と同じサブフレーム内にスケジュールされる場合、周期的なＣＱＩ報告は送信されない。
【０００８】
ＬＴＥ  Ｒｅｌ−８では、キャリアアグリゲーションは実施されず、従って、ＵＣＩを送信するためのＵＬ  ＣＣを決定するという問題は存在せず、もちろん、これに対する解決法は提示されていない。
【０００９】
従って、キャリアアグリゲーションを採用する無線通信システムでは、サブフレーム内で２つ以上のＰＵＳＣＨが送信される場合、向上したシステム性能及び動作が達成されるように、ＵＣＩを送信すべきＰＵＳＣＨをどのようにして決定するかに関する問題が、システム内に存在する。
【発明の概要】
【発明が解決しようとする課題】
【００１０】
本発明の例示的実施形態の目的は、上述の問題を解決する上りリンク制御情報送信を提供することである。
【課題を解決するための手段】
【００１１】
本発明の一態様によれば、キャリアアグリゲーションシステムのために使用される上りリンク制御情報送信が開示され、この上りリンク制御情報送信は、従来技術において知られている上りリンク制御情報送信より良好なシステム性能及び動作をもたらす。
【００１２】
上りリンク制御情報送信の１つの実施される方法は、
−前記複数の上りリンクコンポーネントキャリアのうちの少なくとも１つを含むセットを定義し、
−前記セットの前記少なくとも１つの上りリンクコンポーネントキャリアのそれぞれに、優先度指示を割り当て、
−前記セットが、上りリンク共有チャネルを含む少なくとも１つの上りリンクコンポーネントキャリアを含む場合、前記少なくとも１つの割り当てられた優先度指示のうちの少なくとも１つに基づいて、上りリンク共有チャネルを含む前記少なくとも１つの上りリンクコンポーネントキャリアのうちの１つを、前記上りリンク共有チャネル内での上りリンク制御情報の送信のために、選択する、
ことを含む。
【００１３】
１つの実施されるネットワークノードは、
−前記複数の上りリンクコンポーネントキャリアのうちの少なくとも１つを含むセットを定義するように配置されたセット定義手段と、
−前記セットの前記少なくとも１つの上りリンクコンポーネントキャリア各々に、優先度指示を割り当てるように配置された優先度割り当て手段と、
−前記セットが、上りリンク共有チャネルを含む少なくとも１つの上りリンクコンポーネントキャリアを含む場合、上りリンク共有チャネルを含む前記少なくとも１つの上りリンクコンポーネントキャリアのうちの１つを、前記上りリンク共有チャネル内の上りリンク制御情報の受信のために、選択するように配置された選択手段と（ここで、前記選択は、少なくとも１つの優先度指示のうちの少なくとも１つに基づく）、
−前記少なくとも１つの選択された上りリンク共有チャネルを受信するように配置された受信手段と、
を含む。
【００１４】
１つの実施されるＵＥは、
−前記セットが、上りリンク共有チャネルを含む少なくとも１つの上りリンクコンポーネントキャリアを含む場合、前記複数の上りリンクコンポーネントキャリアのうちの少なくとも１つを含むセットから、上りリンク共有チャネルを含む前記少なくとも１つの上りリンクコンポーネントキャリアのうちの１つを、前記上りリンク共有チャネル内での上りリンク制御情報の送信のために、選択するように配置された選択手段と（ここで、前記選択は、前記セットの少なくとも１つの上りリンクコンポーネントキャリアに割り当てられた少なくとも１つの優先度指示に基づく）、
−選択された前記１つの上りリンクコンポーネントキャリアの上りリンク共有チャネル内で前記上りリンク制御情報を送信するように配置された送信手段と、
を含む。
【００１５】
コンピュータプログラム及びコンピュータプログラム製品を含む実施形態も開示される。
【発明の効果】
【００１６】
本発明による実施される上りリンク制御情報送信の方法、ネットワークノード、ＵＥ、コンピュータプログラム、及びコンピュータプログラム製品は、１つ以上の選択可能な上りリンクコンポーネントキャリア各々に割り当てられた１つ以上の優先度指示に基づいた、上りリンクコンポーネントキャリアの上りリンク共有チャネルの選択によって特徴付けられる。従って、本発明によれば、ＵＣＩを運ぶための上りリンク共有チャネルの選択は、インテリジェントに行われることが可能であり、その理由は、選択が、これらの１つ以上の割り当てられた優先度指示に基づくからである。（優先度ランキングを表す）優先度値の形態、又は、（例えば最も高い優先度を有する、特定のキャリアを指し示す）キャリアインデックスの形態の例示的な優先度指示が開示される。
【００１７】
本発明による上りリンク制御情報送信は、更に、例えばシステム負荷及び干渉に関して、発生しているシステム状況に適合されてもよく、これは、システムが時間の経過と共に適応的に最適化されることをもたらす。これにより、全体的なシステム性能が向上する。
【００１８】
本発明の様々な実施形態によれば、上りリンクコンポーネントキャリアのセットの定義、優先度指示の割り当て、及びこれらの優先度指示のシグナリングはそれぞれ、システム性能が向上し、同時に、システムオーバヘッドが最小に保たれるようなやり方で実行される。
【００１９】
本発明によるＵＣＩ送信の方法、ネットワークノード、及びＵＥの詳細な例示的実施形態及び利点について、いくつかの好ましい実施形態を示す添付の図面を参照して、以下に説明する。
【図面の簡単な説明】
【００２０】
【図１】本発明による例示的な無線通信システム及び装置を概略的に示す。
【発明を実施するための形態】
【００２１】
本明細書では、ＬＴＥ又はＬＴＥ−Ａｄｖａｎｃｅｄシステムに関して本発明を説明するが、本発明は特定のシステムに限定されない。当業者によって理解されるように、本発明はキャリアアグリゲーションを利用する本質的に任意のシステムにおいて実施されてもよい。
【００２２】
ＬＴＥ−Ａｄｖａｎｃｅｄ（すなわち、ＬＴＥ  Ｒｅｌ−１０以降）において適用されるようなキャリアアグリゲーションを利用するシステムでは、ＵＥは、いくつかのコンポーネントキャリア（ＣＣ）上で受信／送信することが可能であってもよい。最大５つの下りリンクコンポーネントキャリア、及び／又は、最大５つの上りリンクコンポーネントキャリアがアグリゲートされてもよい。キャリアアグリゲーションのために、ＵＥは、上位レイヤによって、ＣＣのセットを使用するように設定される。ＣＣのうちの１つは、プライマリＣＣ（ＰＣＣ）と呼ばれ、これは、ＵＥ固有である。その他のＣＣは、セカンダリＣＣ（ＳＣＣ）と呼ばれる。ＬＴＥ−Ａｄｖａｎｃｅｄでは、設定されたＣＣのＣＣアクティベーション／ディアクティベーションを実施することも考慮されている。ディアクティベートされたＤＬ  ＣＣ上では、ＵＥは、ＰＤＣＣＨを監視せず、物理下りリンク共有チャネル（ＰＤＳＣＨ）も受信せず、ＣＱＩ測定も行わない。
【００２３】
ＬＴＥ標準では、コンポーネントキャリア及びセルという両方の用語が存在する。コンポーネントキャリアという用語は、キャリア周波数に関し、測定を手配する場合に一般に使用される用語であり、そして、ＵＥは、そのキャリア周波数上のセルを報告する。セルという用語は、モビリティ（これは、サービングセルの変化を意味する）などの多くのその他の事例について使用される。セルは、通信の上りリンク及び下りリンク方向の両方を含んでもよい。例えば、ＵＥは、プライマリサービングセル（ＰＣｅｌｌ）を有すると仮定されてもよい。ＰＣｅｌｌに対応するキャリアは、ＤＬではＤＬ  ＰＣＣであり、ＵＬではＵＬ  ＰＣＣである。同様に、セカンダリサービングセル（ＳＣｅｌｌ）が、ＰＣｅｌｌと共に設定されてもよい。ＳＣｅｌｌに対応するキャリアは、ＤＬではＤＬ  ＳＣＣであり、ＵＬではＵＬ  ＳＣＣである。従って、キャリアアグリゲーションは、サービングセルのアグリゲーションとして同等に表されることが可能である。本明細書では、キャリアアグリゲーションの概念を、コンポーネントキャリアを用いて考えるが、当業者は、キャリアアグリゲーション及び送信に関して、コンポーネントキャリアの代わりに、セルという用語を同等に使用することが可能である。
【００２４】
キャリアアグリゲーションの実施は、ＣＳＩ報告に関連する問題を導入するが、その理由は、どのＵＬ  ＣＣ（１つ又は複数）上でＵＣＩが送信されるべきかが決定される必要があるからである。
【００２５】
キャリアアグリゲーションを採用するシステムの場合（例えば、ＬＴＥ−Ａｄｖａｎｃｅｄでは）、報告手順を単純にするために、ＵＬ  ＰＣＣは、ＰＵＣＣＨ  ＡＣＫ／ＮＡＣＫ、及び、周期的なＣＳＩを運ぶと仮定される。また、Ｒｅｌ−８と同様に、ＰＵＣＣＨ内のＵＣＩ情報は、ＰＵＳＣＨ内で（場合によってはユーザデータと多重化されて）送信されてもよいと仮定される。更に、ＬＴＥ−Ａｄｖａｎｃｅｄでは、ＵＣＩは、所与のサブフレーム内で２つ以上のＰＵＳＣＨ上で運ばれることができないと仮定される。
【００２６】
従来技術では、ＬＴＥ−Ａｄｖａｎｃｅｄについて、単一のスケジュールされたＰＵＳＣＨ上で、ＵＣＩが送信される、ということが提案されていた。この単一のＰＵＳＣＨは、ＵＬ  ＰＣＣ上にスケジュールされたＰＵＳＣＨであってもよい。ＵＬ  ＰＣＣがスケジュールされない場合、ＵＣＩを送信するために、任意のスケジュールされたＵＬ  ＣＣが選択されてもよい。しかし、どのようにして選択が行われるべきかについては示されていない。従って、この従来技術の解決法によれば、選択は任意に行われることが可能であり、これはもちろん、この選択手順についてシステム性能上のいかなる利点も保証することができない。任意の選択は、ｅＮｏｄｅＢが、選択されたＵＬ  ＣＣに関する事前の情報を有さず、従って、ＵＣＩについて、全ての受信されたＰＵＳＣＨをブラインド検出しなければならないことを意味する。これは、受信機内の複雑さを大幅に増加させる。
【００２７】
従来技術では、ＬＴＥ−Ａｄｖａｎｃｅｄについて、ＰＵＣＣＨからのＵＣＩは、同じＣＣ内にＰＵＳＣＨがある場合、そのＣＣのＰＵＳＣＨ内で送信されなければならない、ということも提案されていた。それ以外の場合、ＰＵＳＣＨを有する他のＣＣがあるかどうかに関係なく、このＣＣのＵＣＩはＰＵＣＣＨ内で送信されなければならない。従って、この従来技術の提案によれば、他のＰＵＳＣＨが利用可能な場合でも、ＵＣＩを送信するための、ＰＵＳＣＨを有する異なる下りリンクＣＣ間での選択は行われない。従って、この提案は、特定の状況に対する解決策を提供するが、どのＵＬ  ＣＣ（１つ又は複数）上でＵＣＩが送信されるべきかの決定の問題に対する一般的な解決策は提供せず、これによりシステム性能が低下し、その理由は、システム内で発生する多くの状況がカバーされていないからである。更に、この解決策は、異なるＣＣ内でのＰＵＣＣＨとＰＵＳＣＨ（１つ又は複数）との同時送信があり得ることを意味する。そのような動作は、信号の電力動特性（ｐｏｗｅｒ  ｄｙｎａｍｉｃｓ）を増加させる可能性があり、従って、より大きな送信電力バックオフを必要とし、これはより悪い性能を意味する。ＰＵＣＣＨとＰＵＳＣＨとの同時送信は、より大きな帯域外スペクトル放出（ｏｕｔ−ｏｆ−ｂａｎｄ  ｓｐｅｃｔｒａｌ  ｅｍｉｓｓｉｏｓ）も意味する可能性があり、これは、抑制される必要がある。
【００２８】
一般に、無線通信システムにおいて、上りリンク制御情報（ＵＣＩ）は、スケジュールされた上りリンクチャネルと関連付けられていない情報、又は、スケジュールされた上りリンクチャネルと関連付けられた情報という２種類の情報からなる可能性がある。
【００２９】
ＬＴＥ−Ａｄｖａｎｃｅｄシステムなどのキャリアアグリゲーションを利用するシステムの状況において、スケジュールされた上りリンクチャネルと関連付けられていない種類のＵＣＩは、ＡＣＫ／ＮＡＣＫ、及び／又は、周期的なＣＳＩ報告を含み、これらは通常ＰＵＣＣＨ上で送信される。スケジュールされた上りリンクチャネルと関連付けられた種類のＵＣＩは、非周期的なＣＳＩ報告を含み、これは、ＰＵＳＣＨ上で送信される。本発明は、ＰＵＳＣＨを有するＵＬ  ＣＣの選択に関連する上述の問題を解決し、この選択されたＵＬ  ＣＣが、少なくとも、スケジュールされた上りリンクチャネルと関連付けられていないＵＣＩを送信するために使用されるようにすることを目的とする。ＰＵＳＣＨは、スケジュールされた上りリンクチャネルと関連付けられていないＵＣＩに加えて、ユーザデータ、及び／又は、非周期的なＣＳＩ報告を含んでもよい。
【００３０】
本発明による解決法は、上述の問題に対するいかなる可能なより直接的な解決法と比較しても、非常に有利である。そのような直接的な解決法は、例えば、各ＵＣＩ送信について固有のＵＬ  ＣＣが選択されるべきであるという固定された予め定義された規則を標準内に有することであってもよい。そのような固定された予め定義された規則は、例えば、最も低いキャリア周波数を有するＵＬ  ＣＣに伴うＰＵＳＣＨが常に使用されるという規則であってもよい。
【００３１】
しかし、そのような固定された予め定義された規則は、通常、過度に制限的であり、不十分なシステム動作をもたらす。例えば、異なるＣＣは異なる帯域幅を有する可能性があり、キャリア周波数とは関係なく狭帯域キャリアにＵＣＩ送信を強要することは望ましくない可能性がある。その上、負荷及び長期の干渉状況もキャリア間で異なる可能性があり、異なるＵＥについてのＵＣＩ送信を異なるＵＬ  ＣＣに分散することは、やはり有利である可能性がある。これは、本発明によって可能であり、なぜなら、優先度指示はＵＥ固有であってもよく、すなわち、１つの特定のＵＬ  ＣＣが様々なＵＥのために使用されてもよく、この場合、本発明によれば、異なるＵＥについて異なる優先度指示を有してもよいからである。
【００３２】
従って、可能なより直接的な解決法のこれらの欠点も本発明によって解決され、その理由は、選択手順では、優先度指示を割り当てる際に、いくつかのシステムパラメータを考慮に入れ、この優先度指示が、後でＵＣＩ送信のための上りリンク共有チャネルを選択する際に使用されるからである。
【００３３】
優先度指示を使用した選択によって、ＵＣＩを送信するために使用される上りリンク共有チャネルが、例えば、システム性能、システム負荷、及び、無線インタフェースについての短期及び長期の干渉状況のうちの１つ以上が考慮に入れられるように、選択されることが可能であり、なぜなら、優先度割り当ては、これらのシステムパラメータのうちの１つ以上に依存するからである。これにより、ＵＣＩの送信は、システムの観点から最適化されることが可能になる。
【００３４】
更に、これらの優先度指示を使用した選択によって、受信機、すなわちネットワークノードは、選択されるＵＬ  ＣＣに関する事前の情報を有する。これにより、ネットワークノード内でのＵＣＩのブラインド検出の必要性が減少する可能性がある。
【００３５】
本発明の一態様によれば、上りリンク制御情報が、ＵＥ（移動局、又は、無線インタフェースを介してネットワークノードと通信している無線システム内の任意のその他のエンティティなど）から、ネットワークノード（基地局、ＮｏｄｅＢ（ＮＢ）、ｅＮｏｄｅＢ（ｅＮＢ）など）に、ＵＥのための、キャリアアグリゲーションのために使用可能な上りリンクコンポーネントキャリアのうちの少なくとも１つを含むセットを定義することによって、送信される。従って、異なるＵＥは、異なるセットを有する可能性がある。このセットについては、このＵＥのためのセットに含まれる少なくとも１つの上りリンクコンポーネントキャリアのうちの各１つに、優先度指示が割り当てられる。次に、このセットが、上りリンク共有チャネルを含む少なくとも１つの上りリンクコンポーネントキャリアを含む場合、上りリンク共有チャネルを含む少なくとも１つの上りリンクコンポーネントキャリアのうちの１つが、その上りリンク共有チャネル内での上りリンク制御情報の送信のために、選択される。上りリンクコンポーネントキャリアを選択する場合、選択は、少なくとも１つの割り当てられた優先度指示のうちの少なくとも１つに基づく。
【００３６】
言い換えると、定義されたセットが、上りリンク共有チャネルを含む少なくとも１つの上りリンクコンポーネントキャリアを含む場合、上りリンク制御情報の送信のために、定義されたセットに含まれる少なくとも１つの上りリンク共有チャネルのうちの１つが選択される。セットの少なくとも１つの上りリンクコンポーネントキャリアと関連付けられた少なくとも１つの優先度指示のうちの１つ以上がそれぞれ、選択を行う際に考慮に入れられる。
【００３７】
従って、本発明によれば、ＵＣＩ送信のための上りリンク共有チャネル（例えば、ＰＵＳＣＨ）を有するＵＬ  ＣＣの選択が実行される。この選択は、ＵＬ  ＣＣの定義されたセットの優先度順位（すなわち、ランキング（ｒａｎｋｉｎｇ）又はプリファランスエニュメレーション（ｐｒｅｆｅｒｅｎｃｅ  ｅｎｕｍｅｒａｔｉｏｎ））を確立することによって実行される。セットの中の各ＵＬ  ＣＣは、優先度指示／値を割り当てられる。これらの優先度値のうちの少なくとも１つに基づいて、ＵＥは、上りリンク共有チャネル（例えば、ＰＵＳＣＨ）を含むＵＬ  ＣＣのうち最も好ましいＵＬ  ＣＣを選択する。
【００３８】
以下で説明するように、セットの１つ以上のＵＬ  ＣＣに割り当てられる１つ以上の優先度指示（例えば、優先度順位、又は、対応する優先度リスト）はそれぞれ、ＵＥ及びネットワークノードの両方に知られる。
【００３９】
本発明の一実施形態によれば、定義された上りリンクコンポーネントキャリアのセットは、少なくとも２つの上りリンクコンポーネントキャリアを含む。次に、ＵＣＩは、複数の上りリンクコンポーネントキャリアのこのセットに含まれる１つの選択されたＵＬ  ＣＣ上で送信される。より詳細には、最も高い優先度ランキングを有し、かつ、スケジュールされた上りリンク共有チャネルを有するＵＬ  ＣＣが、送信のために選択される。
【００４０】
本発明の一実施形態によれば、１つの上りリンクコンポーネントキャリアの選択は、セットの少なくとも１つの上りリンクコンポーネントキャリアに割り当てられた全ての優先度に基づく。
【００４１】
ＵＬ  ＣＣインデックス優先度順位付けの非限定的な例として、［１  ３  ２］は、ＵＣＩ送信が、第１に、（最も高い優先度を有する）ＣＣ１上で、第２に、（２番目に高い優先度を有する）ＣＣ３上で、そして、第３に、（３番目に高い優先度を有する）ＣＣ２上で送信されることが好ましいことを示してもよい。次に、ＵＥは、ＰＵＳＣＨを有する最も好ましいＵＬ  ＣＣを選択する。例えば、ＣＣ２及びＣＣ３がそれぞれＰＵＳＣＨを有し、ＣＣ１がＰＵＳＣＨを有さない場合、ＣＣ３が選択される。
【００４２】
本発明の一実施形態によれば、定義されたセットは、ＵＥのためのキャリアアグリゲーションのために設定された全ての上りリンクコンポーネントキャリアを含む。
【００４３】
本発明の別の実施形態によれば、定義されたセットは、ＵＥのためのキャリアアグリゲーションのためにアクティベートされた全ての上りリンクコンポーネントキャリアを含む。
【００４４】
本発明の別の実施形態によれば、定義されたセットは、上りリンク共有チャネルをＵＥに送信することが可能な全ての上りリンクコンポーネントキャリアを含む。
【００４５】
本発明の別の実施形態によれば、定義されたセットは、上りリンク共有チャネルをＵＥに送信する全ての上りリンクコンポーネントキャリアを含む。
【００４６】
本発明の一実施形態によれば、定義されたセットは、上りリンクプライマリコンポーネントキャリア（ＵＬ  ＰＣＣ）を含む。ＵＬ  ＰＣＣがセットに含まれる場合、ネットワークノードは、全てのＵＬ  ＣＣの優先度を完全に決定することが可能である。これは、場合によっては、全てのＵＬ  ＣＣの優先度がＵＥにシグナリングされる必要があることを意味し、これについては以下で説明する。
【００４７】
２つ以上のＵＬ  ＣＣにそれぞれ優先度が割り当てられる実施形態では、これらの優先度はネットワークノードからＵＥにシグナリングされる必要がある可能性があり、これにより、ＵＥは、そのＵＬ  ＣＣの選択をこれらの優先度に基づかせることが可能になる。
【００４８】
従って、本発明の一実施形態によれば、定義されたセットの少なくとも１つの上りリンクコンポーネントキャリアに割り当てられた少なくとも１つの優先度指示はそれぞれ、ネットワークノードからＵＥにシグナリングされ、これにより、ＵＥは、１つ以上の割り当てられた優先度を知らされる。次に、ＵＥは、ＵＬ  ＣＣを選択する際に、従って、上りリンク制御情報の送信のために上りリンク共有チャネルを選択する際に、これらの優先度を利用することができる。
【００４９】
このシグナリングはいくつかのやり方で実行されることが可能であり、これについては以下で説明する。これらの方法のそれぞれは、信頼性、オーバヘッド、及び、現在のシステム特性への適応性に関して異なる利点を有する。従って、システムの状況及び実施によってこれらの方法のうちの１つ以上が使用に適する可能性がある。
【００５０】
本発明の一実施形態によれば、ネットワークノードは、無線リソース制御（ＲＲＣ）シグナリングを利用することによって、少なくとも１つの優先度指示をＵＥにシグナリングする。
【００５１】
本発明の一実施形態によれば、このＲＲＣシグナリングは、コンポーネントキャリア設定シグナリングを含んでもよい。優先度は、ここでは、ＲＲＣシグナリングによって実行される初期ＣＣ設定プロセスにおいて提供される情報から取得されてもよい。例えば、各設定されるＣＣが上位レイヤにおいてインデックスされ、このインデクッスがＵＥにシグナリングされる場合、このキャリアインデックスは、ＰＵＳＣＨ上でのＵＣＩ送信のためのインデックス順位付けプリファランスも表すように、選択されてもよい。ＲＲＣシグナリングの利用は、例えば、定義されたセットがＵＥのためのキャリアアグリゲーションのために設定された全ての上りリンクコンポーネントキャリアを含む上述の実施形態のために使用されてもよい。
【００５２】
ＲＲＣシグナリングを利用する場合、優先度は、上位ネットワークレイヤによって、明示的にシグナリングされる。ＲＲＣシグナリングは、幾分低速であるが、信頼性が高く、小さなオーバヘッドを必要とし、キャリアアグリゲーションのために使用されるＣＣを設定する際に使用される。
【００５３】
本発明の一実施形態によれば、ネットワークノードは、少なくとも１つの優先度指示をＵＥにシグナリングする際に、媒体アクセス制御（ＭＡＣ）シグナリングを利用する。このＭＡＣシグナリングは、コンポーネントキャリアアクティベーション又はディアクティベーションシグナリングを含んでもよく、例えば、定義されたセットがＵＥのためのキャリアアグリゲーションのためにアクティベートされた全てのコンポーネントを含む上述の実施形態のために使用されてもよい。
【００５４】
ＭＡＣシグナリングを利用する場合、優先度は、上位ネットワークレイヤによって、明示的にシグナリングされる。ＭＡＣシグナリングは、ＲＲＣシグナリングよりわずかに高速であり、上述のように、例えば、ＣＣのアクティベーション／ディアクティベーションに好適である。ＵＥが、ＣＣをアクティベートするために使用されるＭＡＣシグナリング内で提供される情報から優先度を取得することが可能である場合、ネットワークノードが、システム内の現在の負荷に応じて優先度を調節するための高い自由度を有するという利点を有する。
【００５５】
本発明の一実施形態によれば、ネットワークノードは、下りリンク制御チャネルシグナリングを利用することによって、少なくとも１つの優先度指示をＵＥにシグナリングする。この実施形態に従って、下りリンク制御チャネルシグナリングを利用する場合、１つ以上の優先度指示は、物理レイヤによってシグナリングされる。
【００５６】
本発明の一実施形態によれば、この下りリンク制御チャネルシグナリングは、少なくとも１つの上りリンクグラントを含む。次に、１つ以上の上りリンクグラントの各々は、１つの上りリンクコンポーネントキャリア内の上りリンク共有チャネルと関連付けられる。
【００５７】
従って、ここでは、優先度は、ＰＵＳＣＨをスケジュールしたＵＬグラント内でシグナリングされる情報から取得される。これは、ネットワークノードが、ＵＬ  ＣＣの優先度を動的に選択し、それらを瞬時に無線リンク品質に基づかせるための完全な自由を有するという利点を有し、これは、ＵＬ  ＣＣ上の負荷及び干渉が急速に変化する場合に有利である。優先度のシグナリングは、ＵＬグラントをシグナリングする下りリンク制御チャネルシグナリングフォーマットに新たな情報ビットを追加することによって、容易になる可能性がある。
【００５８】
本発明の一実施形態によれば、少なくとも１つの優先度指示は、上りリンクグラントと関連付けられた各上りリンクコンポーネントキャリアについての優先度指示／値を含む。従って、ＵＬグラント内でシグナリングされる指示／値は、１つのＵＬ  ＣＣ内の関連する上りリンク共有チャネルについての優先度指示／値である。更に、一実施形態によれば、優先度値の割り当ては、有効なＵＬグラントを有するＵＬ  ＣＣにのみ優先度指示が割り当てられるように、手配される。
【００５９】
これらの実施形態の利点は、ＵＥが、失われたＵＬグラントを検出することができるということである。例えば、ＵＥは、５つのＵＬ  ＣＣを使用するように構成され、ＣＣ１、ＣＣ２、及びＣＣ３のそれぞれにおけるＵＬグラントを受信し、ここで、ＣＣ１についてのＵＬグラントは優先度値２を含み、ＣＣ２についてのＵＬグラントは優先度値３を含み、ＣＣ３についてのＵＬグラントは優先度値１を含むと仮定する。優先度指示は、スケジュールされていないＣＣ（すなわち、ＣＣ４、及びＣＣ５）を考慮しない。ＣＣ３についてのＵＬグラントが、例えば干渉などに起因して紛失された又は失われた場合、ＵＥは、優先度値２及び３をやはり受信している。従って、次に、ＵＥは、１つのＵＬグラント（すなわち、優先度値１を含むＵＬグラント）が紛失された又は失われたことを推論することができる。
【００６０】
本発明の別の実施形態によれば、少なくとも１つの優先度指示は、最も高い優先度を有する上りリンクコンポーネントキャリアに対応する単一の特定のキャリアインデックスを含む。従って、ＵＬグラント内でシグナリングされる指示／値は、全てのＵＬグラント内で同じであり、最も高い優先度を付けられたＵＬ  ＣＣに対応するキャリアインデックスである。この実施形態の利点は、全てのＵＬグラント内で同じ値がシグナリングされるため、コーディング利得が提供されるということである。これは、全てのＵＬグラント内で指示／値が同じでなければならないため、ＵＬグラントが正しく受信されたかどうかを、ＵＥがダブルチェックすることができることを意味している。これは、フォールスアラームの可能性（すなわち、存在しないＵＬグラントがＵＥによって検出される可能性）を減らすことにおける利益も有する、仮想ＣＲＣビットの一形態とみなされることが可能である。
【００６１】
ＵＬグラント内のビットの組み合わせは、コードポイントと呼ばれてもよい。多くの場合、全てのコードポイントが情報を運ぶために使用されるわけではない。従って、本発明の一実施形態によれば、少なくとも１つの上りリンクグラントに関連する情報を運ぶためには使用されない少なくとも１つのそのような予備のコードポイントが、下りリンク制御チャネルシグナリングのために（すなわち、優先度指示情報を運ぶために）利用される。従って、これらの予備のコードポイントは、この実施形態によれば、付加的なビットを一切追加することなしに、優先度をエンコードするために使用される。
【００６２】
更に、キャリアアグリゲーションのために、いくつかのビットは、全てのＵＬグラント内で使用される必要はない。例えば、電力制御のために使用されるビットは、どのＵＬグラント内でも送信されるが、１つのＵＬグラントから取得されるのみである。従って、本発明の一実施形態によれば、少なくとも１つのそのような予備の電力制御ビットが、下りリンク制御チャネルシグナリングのために利用される（すなわち、少なくとも１つの予備の電力制御ビットが、優先度指示をエンコードするために使用される）。
【００６３】
また、キャリアアグリゲーションのために、様々なＵＬグラント内でシグナリングされるその他のＣＣ固有のビットの組み合わせが、失われたＵＬグラントの影響を軽減するために存在してもよい。次に、ＵＥは、これらの１つ以上のビットの組み合わせからいくつのＵＬグラントを受信するはずであるかを判定することが可能である。従って、本発明の一実施形態によれば、下りリンク制御チャネルは、ＵＥが受信すべき上りリンクグラントの数を示すために使用される、少なくとも１つのビットの組み合わせを含む。従って、これらのビットの組み合わせは、１つ以上の優先度指示をエンコードするために共同で使用されてもよい。
【００６４】
更に、下りリンク制御チャネルシグナリング内の既に利用可能であり、未使用の可能性もあるビット及び／又はビットの組み合わせに加えて、少なくとも１つの追加の情報ビットが、下りリンク制御チャネルシグナリングに追加されてもよく、ここで、その少なくとも１つの追加のビットは、優先度指示情報を運ぶために利用される。
【００６５】
しかし、場合によっては、ＵＥはそれ自体で、どのＵＬ  ＣＣが上りリンク制御情報の送信のために好ましいかを推論することが可能である。例えば、選択されるＵＬ  ＣＣが当然の選択である場合、この選択に関するシグナリングは冗長である。従って、本発明の一実施形態によれば、定義されたセットの１つの特定の上りリンクコンポーネントキャリアに最も高い優先度が割り当てられている場合、その特定の上りリンクコンポーネントキャリアについての優先度指示は、ＵＥへのシグナリングから除外される。１つのそのような当然の選択は、その特定の上りリンクコンポーネントキャリアが、上りリンクプライマリコンポーネントキャリアである場合である。従って、上りリンクプライマリコンポーネントキャリアがその上りリンク共有チャネル内での上りリンク制御情報の送信のために選択されている場合、この選択は、シグナリングなしに、ＵＥによって推論されることが可能である。従って、シグナリングは、システム内のオーバヘッドを最小にするために、省略される。
【００６６】
この実施形態の非限定的な例として、ＵＥが１つのＰＣＣと２つのＳＣＣとを使用したキャリアアグリゲーションのために設定される場合、ＰＣＣが最も高い優先度を常に有すること、及び、残りのＣＣ（すなわち、２つのＳＣＣ）のための優先度指示のみがシグナリングされることが仮定されてもよい。
【００６７】
更に、いくつかのケースでは、上りリンク制御情報を運ぶための上りリンクコンポーネントキャリアの選択は、動的に実行される必要がある。そのようなケースは、例えば、基地局が、非周期的な上りリンク制御情報を送信するために、１つの上りリンク共有チャネルをスケジュールした場合に、発生する。
【００６８】
本発明の一実施形態によれば、そのような状況に対処するために、定義されたセットの少なくとも１つの上りリンクコンポーネントキャリアに割り当てられる１つ以上の優先度指示のうちの少なくとも１つが動的に決定される。動的とは、ここでは及び本明細書では、決定が、（例えば、ＲＲＣ及びＭＡＣシグナリングの時間フレームより短い）サブフレーム時間単位で実行されることを意味する。動的な決定は、所定の規則に従って実行される。
【００６９】
上述のように、本発明の一実施形態によれば、特定の上りリンクコンポーネントキャリアが、上りリンク共有チャネルを含む上りリンクプライマリコンポーネントキャリアである場合、所定の規則に従って、最も高い優先度指示／値が、その特定の上りリンクコンポーネントキャリアに動的に割り当てられる。
【００７０】
いくつかのケースでは、周期的なＣＳＩ報告は、キャリアアグリゲーションを使用するシステムを動作させるためには十分ではない可能性があり、その理由は、周期的な報告の周期性が長すぎる可能性があるか、又は、ペイロードサイズが小さすぎる可能性があるからである。従って、ネットワークノードは、十分な量のチャネル品質情報を取得するために、非周期的なＣＳＩ報告もスケジュールすることが好ましい可能性がある。従って、ＰＵＳＣＨを有する複数のＵＬ  ＣＣのうちの１つが、上りリンク制御情報を（例えば、非周期的なＣＳＩ報告の形態で）含むことが予期される。
【００７１】
従って、これに対応して、本発明の別の実施形態によれば、特定の上りリンクコンポーネントキャリアが非周期的なチャネル状態情報（ＣＳＩ）報告を含む場合、別の所定の規則に従って、最も高い優先度指示／値が、その特定の上りリンクコンポーネントキャリアに動的に割り当てられる。ネットワークノードスケジューラは、所与の瞬間において１つのみのＰＵＳＣＨが非周期的なＣＳＩを送信するように、送信を手配することが可能であるため、この特定の上りリンクコンポーネントキャリアは、一意であってもよい。ここでは、ＰＵＳＣＨの内容が、前述の割り当てと組み合わせて、優先度割り当てを決定するために使用される。従って、そのようなＰＵＳＣＨ内容を有するＵＬ  ＣＣは、ＰＵＳＣＨを有するＵＬ  ＣＣのうち最も高い優先度を常に有し、また、上りリンク制御情報を送信するために使用される。上りリンク制御情報を有するＰＵＳＣＨがない場合、前述の優先度割り当て解決法のうちのいずれかが適用されてもよい。
【００７２】
非限定的な例として、キャリアインデックス順序付けが［１  ３  ２］である場合、ＣＣ２は、非周期的なＣＳＩ報告を有するＰＵＳＣＨを有する場合、最も低い優先度指示を有するにもかかわらず、上りリンク制御情報送信のために使用される。この実施形態は、上りリンク制御情報送信及びＣＳＩ報告を単純化し、その理由は、非周期的なＣＳＩ報告を有するＰＵＳＣＨを有するＵＬ  ＣＣが選択されない場合、非周期的なＣＳＩ報告は、落とされるか、又は、別のＵＬ  ＣＣに移動させられなければならないからである。ネットワークノードは、このＰＵＳＣＨ内の変調及び符号化方式（ＭＣＳ）を、それが非周期的なＣＳＩ情報を含むことを考慮して適合させているため、全てのＵＣＩの送信に使用することが有利である。ネットワークノードによって最初にスケジュールされたものとは別のＣＣ内での非周期的なＣＳＩ報告の送信は、ＭＣＳアダプテーションの機能を制限し、ＵＣＩがユーザデータを破壊している（ｐｕｎｃｔｕｒｉｎｇ）場合はチャネル符号化損失（ｃｈａｎｎｅｌ  ｃｏｄｉｎｇ  ｌｏｓｓｅｓ）を発生させる可能性がある。
【００７３】
これに対応して、本発明の別の実施形態によれば、特定の上りリンクコンポーネントキャリアが上りリンク制御チャネルを含む場合、別の所定の規則に従って、最も高い優先度指示／値が、その特定の上りリンクコンポーネントキャリアに割り当てられる。
【００７４】
更に、本発明の一実施形態によれば、これらの所定の規則基準のうちのいくつかが、次のように、順に、動的に調べられる。
−特定の上りリンクコンポーネントキャリアが、上りリンク共有チャネルを含む上りリンクプライマリコンポーネントキャリアである場合、最も高い優先度指示／値が、その特定の上りリンクコンポーネントキャリアに動的に割り当てられ、又は、これが真ではない場合、
−特定の上りリンクコンポーネントキャリアが、非周期的なチャネル状態情報（ＣＳＩ）報告を含む場合、最も高い優先度指示／値が、その特定の上りリンクコンポーネントキャリアに動的に割り当てられる。
【００７５】
また、本発明の別の実施形態によれば、これらの所定の規則基準が、次のように、別の順番で、動的に調べられる。
−特定の上りリンクコンポーネントキャリアが、非周期的なチャネル状態情報（ＣＳＩ）報告を含む場合、最も高い優先度指示／値が、その特定の上りリンクコンポーネントキャリアに動的に割り当てられ、又は、これが真ではない場合、
−特定の上りリンクコンポーネントキャリアが、上りリンク共有チャネルを含む上りリンクプライマリコンポーネントキャリアである場合、最も高い優先度指示／値が、その特定の上りリンクコンポーネントキャリアに動的に割り当てられる。
【００７６】
更に、本発明の一実施形態によれば、全てのこれらの所定の規則基準が、次のように、シーケンス内に含まれる。
−特定の上りリンクコンポーネントキャリアが、上りリンク共有チャネルを含む上りリンクプライマリコンポーネントキャリアである場合、最も高い優先度指示／値が、その特定の上りリンクコンポーネントキャリアに動的に割り当てられ、又は、これが真ではない場合、
−特定の上りリンクコンポーネントキャリアが、非周期的なチャネル状態情報（ＣＳＩ）報告を含む場合、最も高い優先度指示／値が、その特定の上りリンクコンポーネントキャリアに動的に割り当てられ、又は、これが真ではない場合、
−特定の上りリンクコンポーネントキャリアが、上りリンク制御チャネルを含む場合、最も高い優先度指示／値が、その特定の上りリンクコンポーネントキャリアに動的に割り当てられる。
【００７７】
これに対応して、本発明の別の実施形態によれば、これらの所定の規則基準が、別の順番で含まれる。
−特定の上りリンクコンポーネントキャリアが、非周期的なチャネル状態情報（ＣＳＩ）報告を含む場合、最も高い優先度指示／値が、その特定の上りリンクコンポーネントキャリアに動的に割り当てられ、又は、これが真ではない場合、
−特定の上りリンクコンポーネントキャリアが、上りリンク共有チャネルを含む上りリンクプライマリコンポーネントキャリアである場合、最も高い優先度指示／値が、その特定の上りリンクコンポーネントキャリアに動的に割り当てられ、又は、これが真ではない場合、
−特定の上りリンクコンポーネントキャリアが、上りリンク制御チャネルを含む場合、最も高い優先度指示／値が、その特定の上りリンクコンポーネントキャリアに動的に割り当てられる。
【００７８】
上述のように、本発明の一実施形態によれば、１つの上りリンクコンポーネントキャリアの選択は、セットの少なくとも１つの上りリンクコンポーネントキャリアに割り当てられた全ての優先度に基づく。これは一般規則であり、上記の所定の規則基準シーケンスの各々の中に最後のステップとして追加されてもよい。従って、プライマリコンポーネントキャリア、非周期的なＣＳＩ、及び上りリンク共有チャネルについての規則のうちのいずれかによる最も高い優先度指示／値の割り当てが適用されない場合、１つの上りリンクコンポーネントキャリアの選択が、一般規則（すなわち、これは、セットの少なくとも１つの上りリンクコンポーネントキャリアに割り当てられた全ての優先度に基づく）に従って実行される。
【００７９】
更に、本発明の一実施形態によれば、優先度指示（例えば、優先度順位）は、ネットワークノードによって決定される。優先度指示は、いくつかのシステムパラメータのうちの１つ以上に基づいてもよい。そのようなシステムパラメータは、キャリア周波数、キャリア帯域幅、無線リンク品質、短期の干渉状況、変調及び符号化方式、トランスポートブロックサイズ、プリコーディング行列インデックス、送信ランクインジケータ、長期の干渉状況、及びシステム負荷であってもよいが、これらに限定されない。これらのパラメータのうちの１つ以上に基づいて優先度指示を決定することによって、最適化された信頼性及びシステム負荷が達成される。
【００８０】
更に、本発明の一実施形態によれば、定義されたセットは、１つの単一の上りリンクコンポーネントキャリアのみを含む。従って、上りリンク制御情報は、常に、その１つの単一のＵＬ  ＣＣ上で送信される。
【００８１】
本発明の一実施形態によれば、セットが、１つの単一の上りリンクコンポーネントキャリアを含むのみである場合、１つの単一の上りリンクコンポーネントキャリアが上りリンク共有チャネルを含むならば、最も高い優先度が、その単一の上りリンクコンポーネントキャリアに割り当てられる。
【００８２】
プライマリコンポーネントキャリアは、ＵＥ固有であるため、プライマリコンポーネントキャリアは、送信のために主に使用されるＵＬ  ＣＣである。従って、スケジューラは、一般に、最初にプライマリコンポーネントキャリア上にＰＵＳＣＨをスケジュールした後、１つ又は複数のセカンダリコンポーネントキャリア上へのＰＵＳＣＨ送信の割り当ても開始する。ＰＣＣ上ではなくＳＣＣ上での送信の可能性がある１つの状況は、ＰＣＣ上ではなくＳＣＣ上で実施される再送信がある場合である。そのような場合、本発明の一実施形態に従って、ＰＵＳＣＨが、ＰＣＣ上にスケジュールされる必要がある。基地局は、スケジューリングを制御しており、従って、ＰＣＣ内にＰＵＳＣＨが常にあることを保証することが可能である。従って、本発明のこの実施形態によれば、１つの単一の上りリンクコンポーネントキャリアは、上りリンク制御情報の送信のための上りリンク共有チャネルを提供するために、ネットワークノードによって、スケジュールされる。非限定的な例として、ＰＣＣ内にＰＵＳＣＨがあることを容易にするために、非周期的なＣＳＩ報告が、ＰＣＣ内にスケジュールされてもよい。
【００８３】
更に、複数の上りリンクコンポーネントキャリアをセットが含むケースについて上述したように、所定の規則が、優先度指示を割り当てる際に利用されてもよい。そのような所定の規則は、セットが、上りリンクプライマリ上りリンクコンポーネントキャリアである１つの単一の上りリンクコンポーネントキャリアのみを含む場合についても、利用されてもよい。一般に、単一のＵＬ  ＣＣは、ＰＣＣである。その場合、ＵＣＩは、常に、そのＰＣＣ上のＰＵＳＣＨ上で送信される。この解決法の利点は、優先度順位が予め定義されており、シグナリングされる必要がないということである。
【００８４】
本発明の一実施形態によれば、１つの単一の上りリンクコンポーネントキャリアに割り当てられる優先度指示は、ネットワークノードからＵＥにシグナリングされる。
【００８５】
更に、上述のＵＣＩ送信の方法の様々なステップは、組み合わせられてもよく、又は、任意の好適な順序で実行されてもよい。このための条件は、もちろん、本発明の方法の別のステップと組み合わせて使用されるステップの、利用可能な尺度（上りリンクコンポーネントキャリア、優先度指示など）に関する要件が、満たされていなければならないということである。
【００８６】
更に、本発明のＵＣＩ送信の方法は、（コンピュータ内で実行された場合、方法のステップをコンピュータに実行させる）コード化手段を有するコンピュータプログラムによって実施されてもよい。コンピュータプログラムは、好ましくは、コンピュータプログラム製品のコンピュータ読取可能媒体内に含まれる。コンピュータ読み取り可能な媒体は、ＲＯＭ（読み取り専用メモリ）、ＰＲＯＭ（プログラム可能な読み取り専用メモリ）、ＥＰＲＯＭ（消去可能なＰＲＯＭ）、フラッシュメモリ、ＥＥＰＲＯＭ（電子的消去可能なＰＲＯＭ）、又はハードディスクドライブなどの本質的に任意のメモリからなってもよい。
【００８７】
本発明の一態様によれば、基地局又はｅＮｏｄｅＢなどのネットワークノードが、上りリンク制御情報送信を受信するように配置される。ネットワークノードは、ＵＥのためのキャリアアグリゲーションのために使用可能な上りリンクコンポーネントキャリアのうちの１つ以上を含むセットを定義するように配置されたセット定義手段を含む。ネットワークノードは、上りリンクコンポーネントキャリアの定義されたセットの１つ以上の上りリンクコンポーネントキャリア各々に優先度指示を割り当てるように配置された優先度割り当て手段も含む。
【００８８】
ネットワークノードは、選択手段と受信手段とを更に含み、ここで、定義されたセットが、上りリンク共有チャネルを含む少なくとも１つの上りリンクコンポーネントキャリアを含む場合、選択手段は、上りリンク共有チャネルを含む少なくとも１つの上りリンクコンポーネントキャリアのうちの１つを選択するように配置される。この選択された上りリンクコンポーネントキャリアは、その上りリンク共有チャネル内の上りリンク制御情報の受信のために使用される。選択手段は、１つ以上の優先度指示のうちの少なくとも１つに基づいて、選択を行うように配置される。従って、少なくとも１つの上りリンク共有チャネルのうちの１つが、少なくとも１つの割り当てられた優先度指示のうちの少なくとも１つに基づいて、上りリンク制御情報の受信のために選択される。受信手段は、１つの選択された上りリンク共有チャネルを、及び、場合によっては１つ以上のその他の上りリンクチャネルも、受信するように配置される。
【００８９】
本発明の一実施形態によれば、ネットワークノードは、少なくとも１つの優先度指示を、無線インタフェースを介して、ＵＥにシグナリングするように配置されたシグナリング手段を備える。従って、このシグナリング手段によって、ネットワークノードは、上述の様々なシグナリング動作（例えば、下りリンク制御チャネルシグナリングの利用を含む）のうちの１つ以上を、（例えば現在の優先度割り当てに関して、ＵＥに通知されるように）実行することが可能である。
【００９０】
ネットワークノードの割り当て手段は、例えば、所定の規則に従った割り当てを含む上述の割り当て手順を実行するように更に配置される。
【００９１】
本発明の一実施形態によれば、受信手段は、ＵＥが、送信のために、１つの上りリンク共有チャネルを正しく選択したかどうかを検出するように配置される。従って、ＵＥが、ＵＬグラントを正しく受信したかどうか、及び、それにより、ＵＥが、関連するＰＵＳＣＨの送信を正しく実行したかどうかが、間接的に検出される。
【００９２】
更に、本発明の一態様によれば、ＵＥが、上りリンク制御情報を送信するように配置される。ＵＥは、そのＵＥのためのキャリアアグリゲーションのために使用可能ないくつかの上りリンクコンポーネントキャリアのうちの少なくとも１つを含むセットから、１つの上りリンクコンポーネントキャリアを選択するように配置された選択手段を含む。この選択は、そのセットが、上りリンク共有チャネルを含む少なくとも１つの上りリンクコンポーネントキャリアを含み、かつ、選択される少なくとも１つの上りリンクコンポーネントキャリアが、上りリンク制御情報の送信のために、上りリンク共有チャネルを含むべきである場合に、実行される。選択は、定義されたセットの少なくとも１つの上りリンクコンポーネントキャリアにそれぞれ割り当てられた少なくとも１つの優先度指示のうちの１つ以上に基づく。ＵＥは、１つの選択された上りリンクコンポーネントキャリア内で、すなわち、その上りリンクコンポーネントキャリアの上りリンク共有チャネル内で、上りリンク制御情報を送信するように配置された送信手段も含む。従って、優先度指示に基づいて、１つの上りリンク共有チャネルが選択され、次に、その上りリンク共有チャネル上で、上りリンク制御情報が、ＵＥからネットワークノードに送信される。
【００９３】
本発明の一実施形態によれば、ＵＥは、ネットワークノードからシグナリングされた優先度指示情報に基づいて、１つ以上の優先度指示を割り当てるように配置された優先度割り当て手段を含む。従って、ＵＥは、上述のシグナリング動作のうちの任意の１つに従って、ネットワークノードからシグナリングされた優先度指示シグナリングを受信するように配置される。
【００９４】
本発明の一実施形態によれば、ＵＥは、少なくとも１つの優先度指示を割り当てるように配置された優先度割り当て手段を含む。割り当て手段は、これらの割り当てを、上述の所定の規則のうちのいずれかに基づいて実行するように配置される。
【００９５】
本発明の一実施形態によれば、ＵＥは、下りリンク制御チャネル内のＵＬグラントを受信するように配置された受信手段を更に含む。
【００９６】
本発明によるネットワークノード及びＵＥの両方は、本発明の方法のステップのいずれかを実行するようにそれぞれ適合される。自明な要件はもちろん、そのようなステップがネットワークノード及びＵＥにそれぞれに関与するということである。
【００９７】
当業者は、前述の実施形態又は手順の一部が関連するハードウェア手段に指示するプログラムを介して実施されてもよく、プログラムがコンピュータ読み取り可能な記憶媒体上に記憶されてもよいということを理解するであろう。
【００９８】
図１は、本発明による無線通信システム１００を概略的に示す。無線通信システム１００は、少なくとも１つのネットワークノード１１０と、無線インタフェース１３０を介して相互に通信する少なくとも１つのＵＥ１２０とを含む。
【００９９】
ネットワークノード１１０内では、（コンピュータ、プロセッサ、ＤＳＰ（デジタル信号プロセッサ）、ＡＳＩＣ（特定用途向け集積回路）などである）ハードウェア手段１１１が、無線インタフェース１３０を介して信号を受信及び送信するアンテナ１１３に接続される。ハードウェア手段１１１は、例えば、プロセッサ、ＤＳＰ、コンピュータなどである場合、コンピュータ読取可能記憶媒体１１２に接続される。コンピュータ読取可能記憶媒体１１２は、ＲＯＭ／ＲＡＭ、ソフトディスク、コンパクトディスクなどを含み、ハードウェア手段１１１に、本発明の方法を実行するために（すなわち、少なくとも上述のセットの定義、優先度指示の割り当て、上りリンクコンポーネントキャリアの選択、シグナリング、及びＵＣＩ送信の受信というステップを実行するために）必要とされる指示を提供するように配置される。
【０１００】
これに対応して、ＵＥ１２０内では、（コンピュータ、プロセッサ、ＤＳＰ（デジタル信号プロセッサ）、ＡＳＩＣ（特定用途向け集積回路）などである）ハードウェア手段１２１が、無線インタフェース１３０を介して信号を受信及び送信するアンテナ１２３に接続される。ハードウェア手段１２１は、例えば、プロセッサ、ＤＳＰ、コンピュータなどである場合、コンピュータ読取可能記憶媒体１２２に接続される。コンピュータ読取可能記憶媒体３２２は、ＲＯＭ／ＲＡＭ、ソフトディスク、コンパクトディスクなどを含み、ハードウェア手段１２１に、本発明の方法を実行するために（すなわち、少なくとも上述の優先度指示の割り当て、上りリンクコンポーネントキャリアの選択、及び優先度割り当てシグナリングというステップを実行するために）必要とされる指示を提供するように配置される。
【０１０１】
本発明による、上りリンク制御情報送信の方法、ネットワークノード、及びＵＥは、当業者によって、上述の例示的実施形態と比較して、修正されてもよい。当業者にとって明らかなように、複数のその他の実施、修正、変形、及び／又は、追加が、上述の例示的実施形態に対して行われることが可能である。本発明は、特許請求の範囲内に入る全てのそのようなその他の実施、修正、変形、及び／又は、追加を含むということを理解されたい。
【図１】
2013533675.tif 000003
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
キャリアアグリゲーションを利用する無線通信システムにおける上りリンク制御情報送信の方法であって、複数の上りリンクコンポーネントキャリアが、前記システム内のユーザ装置（ＵＥ）とネットワークノードとの間の通信のためにアグリゲートされることが可能であり、前記方法は、
前記複数の上りリンクコンポーネントキャリアのうちの少なくとも１つを含むセットが、上りリンク共有チャネルを含む少なくとも１つの上りリンクコンポーネントキャリアを含む場合、前記セットの前記少なくとも１つの上りリンクコンポーネントキャリア各々に優先度指示が割り当てられた優先度指示情報に基づいて、上りリンク共有チャネルを含む前記少なくとも１つの上りリンクコンポーネントキャリアのうちの１つを、前記上りリンク共有チャネル内での前記上りリンク制御情報の送信のために、選択するステップと、
前記選択された１つの上りリンクコンポーネントキャリアの前記上りリンク共有チャネル内で前記上りリンク制御情報を送信するステップと、
を含むことを特徴とする、方法。
【請求項２】
前記セットは、少なくとも２つの上りリンクコンポーネントキャリアを含む、
請求項１に記載の方法。
【請求項３】
前記セットは、
前記ＵＥのためのキャリアアグリゲーションのために設定された全ての上りリンクコンポーネントキャリアを含む、
請求項２に記載の方法。
【請求項４】
前記セットは、上りリンクプライマリコンポーネントキャリアを含む、
請求項２に記載の方法。
【請求項５】
前記セットの前記少なくとも１つの上りリンクコンポーネントキャリアに割り当てられた少なくとも１つの優先度指示情報はそれぞれ、ネットワークノードから前記ＵＥにシグナリングされる、
請求項２に記載の方法。
【請求項６】
無線リソース制御（ＲＲＣ）シグナリングを利用することによって、前記少なくとも１つの優先度指示情報を受信することを更に含む、
請求項５に記載の方法。
【請求項７】
前記ＲＲＣシグナリングは、コンポーネントキャリア設定シグナリングを含む、
請求項６に記載の方法。
【請求項８】
前記セットの１つの特定の上りリンクコンポーネントキャリアに最も高い優先度が割り当てられており、前記特定の上りリンクコンポーネントキャリアについての前記優先度指示は、前記ＵＥにシグナリングされることから除外される、
請求項２に記載の方法。
【請求項９】
前記特定の上りリンクコンポーネントキャリアは、上りリンクプライマリコンポーネントキャリアである、
請求項８に記載の方法。
【請求項１０】
前記優先度指示情報は、所定の規則に従って動的に決定される、
請求項２に記載の方法。
【請求項１１】
前記割り当ては、
特定の上りリンクコンポーネントキャリアが非周期的なチャネル状態情報（ＣＳＩ）報告を含む場合、最も高い優先度指示が前記特定の上りリンクコンポーネントキャリアに割り当てられるステップ、及び、
それ以外の場合、特定の上りリンクコンポーネントキャリアが、代わりに、上りリンク共有チャネルを含む上りリンクプライマリコンポーネントキャリアである場合、最も高い優先度指示が前記特定の上りリンクコンポーネントキャリアに割り当てられるステップ、
のうちの少なくとも１つを含む、
請求項１１に記載の方法。
【請求項１２】
前記上りリンク共有チャネルは、ロングタームエボリューションアドバンスト（ＬＴＥ−Ａｄｖａｎｃｅｄ）システムにおける物理上りリンク共有チャネル（ＰＵＳＣＨ）である、
請求項２に記載の方法。
【請求項１３】
前記上りリンク制御情報は、ＬＴＥ  Ａｄｖａｎｃｅｄシステムにおける上りリンク制御情報（ＵＣＩ）であり、
前記ＵＣＩは、
少なくとも１つのアクノリッジメント（Ａｃｋ）、
少なくとも１つのネガティブアクノリッジメント（Ｎａｃｋ）、
少なくとも１つの周期的なチャネル品質情報（ＣＱＩ）報告、
少なくとも１つの周期的なチャネルランクインジケータ（ＲＩ）報告、
少なくとも１つの周期的なプリコーディング行列インジケータ（ＰＭＩ）報告、
少なくとも１つの非周期的なチャネル品質情報（ＣＱＩ）報告、
少なくとも１つの非周期的なチャネルランクインジケータ（ＲＩ）報告、
少なくとも１つの非周期的なプリコーディング行列インジケータ（ＰＭＩ）報告、及び、
少なくとも１つのスケジューリング要求（ＳＲ）、
のうちの任意の１つ、又は、これらの任意の組み合わせを含む、
請求項２に記載の方法。
【請求項１４】
コンピュータ内で実行されると請求項１〜１３のいずれか一項に記載の方法を前記コンピュータに実行させるコンピュータプログラム。
【請求項１５】
請求項１４に記載のコンピュータプログラムを含むコンピュータ読取可能記憶媒体。
【請求項１６】
キャリアアグリゲーションを利用する無線通信システムにおいて、上りリンク制御情報の送信を受信するように配置されたネットワークノードであって、複数の上りリンクコンポーネントキャリアが、前記システム内のユーザ装置（ＵＥ）と前記ネットワークノードとの間の通信のためにアグリゲートされることが可能であり、前記ネットワークノードは、
前記複数の上りリンクコンポーネントキャリアのうちの少なくとも１つを含むセットを定義するように配置されたセット定義手段と、
前記セットの前記少なくとも１つの上りリンクコンポーネントキャリア各々に、優先度指示を割り当てるように配置された優先度割り当て手段と、
前記セットが、上りリンク共有チャネルを含む少なくとも１つの上りリンクコンポーネントキャリアを含む場合、前記少なくとも１つの優先度指示のうちの少なくとも１つに基づいて、上りリンク共有チャネルを含む前記少なくとも１つの上りリンクコンポーネントキャリアのうちの１つを、前記上りリンク共有チャネル内の上りリンク制御情報の受信のために、選択するように配置された選択手段と、
前記選択された１つの上りリンク共有チャネルの前記上りリンク共有チャネル内で前記上りリンク制御情報を受信するように配置された受信手段と、
を特徴とするネットワークノード。
【請求項１７】
前記ネットワークノードは、前記少なくとも１つの優先度指示を前記ＵＥにシグナリングするように配置されたシグナリング手段を含む、
請求項１６に記載のネットワークノード。
【請求項１８】
キャリアアグリゲーションを利用する無線通信システムにおいて、上りリンク制御情報を送信するように配置されたユーザ装置（ＵＥ）であって、複数の上りリンクコンポーネントキャリアが、前記システム内の前記ＵＥとネットワークノードとの間の通信のためにアグリゲートされることが可能であり、前記ＵＥは、
前記複数の上りリンクコンポーネントキャリアのうちの少なくとも１つを含むセットが、上りリンク共有チャネルを含む少なくとも１つの上りリンクコンポーネントキャリアを含む場合、前記セットの前記少なくとも１つの上りリンクコンポーネントキャリア各々に優先度指示が割り当てられた優先度指示情報に基づいて、前記セットから、上りリンク共有チャネルを含む前記少なくとも１つの上りリンクコンポーネントキャリアのうちの１つを、前記上りリンク共有チャネル内での上りリンク制御情報の送信のために、選択するように配置された選択手段と、
前記選択された１つの上りリンクコンポーネントキャリアの前記上りリンク共有チャネル内で前記上りリンク制御情報を送信するように配置された送信手段と、
を特徴とするＵＥ。
【請求項１９】
前記ＵＥは、前記ネットワークノードからシグナリングされた優先度指示情報に基づいて、前記少なくとも１つの優先度指示を割り当てるように配置された優先度割り当て手段を含む、
請求項１８に記載のＵＥ。
【請求項２０】
前記ＵＥは、所定の規則に基づいて、前記少なくとも１つの優先度指示を割り当てるように配置された優先度割り当て手段を含む、
請求項１８に記載のＵＥ。
【請求項２１】
キャリアアグリゲーションを利用する無線通信システムにおいて、上りリンク制御情報送信を受信するように配置されたネットワークノードのための方法であって、複数の上りリンクコンポーネントキャリアが、前記システム内のユーザ装置と前記ネットワークノードとの間の通信のためにアグリゲートされることが可能であり、前記方法は、
前記複数の上りリンクコンポーネントキャリアのうちの少なくとも１つを含むセットを定義するステップと、
前記セットの前記少なくとも１つの上りリンクコンポーネントキャリア各々に、優先度指示を割り当てるステップと、
前記セットが、上りリンク共有チャネルを含む少なくとも１つの上りリンクコンポーネントキャリアを含む場合、前記セットの前記少なくとも１つの上りリンクコンポーネントキャリア各々に優先度指示が割り当てられた優先度指示情報に基づき、上りリンク共有チャネルを含む前記少なくとも１つの上りリンクコンポーネントキャリアのうちの１つを、前記上りリンク共有チャネル内の上りリンク制御情報の受信のために、選択するステップと、
前記選択された１つの上りリンクコンポーネントキャリアの前記上りリンク共有チャネル内の前記上りリンク制御情報を受信するステップと、
を含むことを特徴とする、方法。
【請求項２２】
キャリアアグリゲーションを利用する無線通信システムにおいて、上りリンク制御情報送信を受信するように構成されたユーザ装置（ＵＥ）内で使用される装置であって、複数の上りリンクコンポーネントキャリアが、前記システム内の前記ＵＥと前記ネットワークノードとの間の通信のためにアグリゲートされることが可能であり、
前記装置は、プロセッサと、メモリと、を備え、
前記メモリは、
前記複数の上りリンクコンポーネントキャリアのうちの少なくとも１つを含むセットが、上りリンク共有チャネルを含む少なくとも１つの上りリンクコンポーネントキャリアを含む場合、前記セットの前記少なくとも１つの上りリンクコンポーネントキャリア各々に優先度指示が割り当てられた優先度指示情報に基づき、上りリンク共有チャネルを含む前記少なくとも１つの上りリンクコンポーネントキャリアのうちの１つを、前記上りリンク共有チャネル内での前記上りリンク制御情報の前記送信のために、選択することと、
前記選択された１つの上りリンクコンポーネントキャリアの前記上りリンク共有チャネル内で前記上りリンク制御情報を送信することと、
のために前記プロセッサによって実行可能な指示を含む、
装置。
【国際調査報告】
2013533675.tif 000004
2013533675.tif 000005